(57)【要約】      （修正有）【課題】収縮性フィルムを用いて物品を梱包する際に、梱包する物品の厚さによらず角部に隙間が生じ難い包装用台紙を提供する。【解決手段】収縮性フィルムを用いて物品を梱包する際に使用する包装用台紙であって、物品を挟み込めるように折り返し可能に接続される一対の台座パネル１を備え、一対の台座パネルが、方形状の本体１０と、本体の一方の側縁から延出し、先端縁同士が互いに接続される接続フラップ１１と、本体の一方の側縁と対向する側縁から延出する端部フラップ１２と、本体の対向する他の一対の側縁から延出する一対の側部フラップ１３と、一対の側部フラップの両端から延出する一対の舌片１４とを有し、舌片が、側部フラップの基端側から延出する直線部と、直線部の先端及び側部フラップの先端を連結する円弧部とを有する。【選択図】図１
0003228022.tif 000002
【実用新案登録請求の範囲】
【請求項１】
収縮性フィルムを用いて物品を梱包する際に使用する包装用台紙であって、
上記物品を挟み込めるように折り返し可能に接続される一対の台座パネルを備え、
上記一対の台座パネルが、
方形状の本体と、
上記本体の一方の側縁から延出し、先端縁同士が互いに接続される接続フラップと、
上記本体の上記一方の側縁と対向する側縁から延出する端部フラップと、
上記本体の対向する他の一対の側縁から延出する一対の側部フラップと、
上記一対の側部フラップの両端から延出する一対の舌片と
を有し、
上記舌片が、
上記側部フラップの基端側から延出する直線部と、
上記直線部の先端及び上記側部フラップの先端を連結する円弧部と
を有する包装用台紙。
【請求項２】
上記接続フラップ及び上記端部フラップの両端から他の舌片が延出していない請求項１に記載の包装用台紙。
【請求項３】
上記接続フラップ及び上記端部フラップの側縁が、延出方向先端側に向けて内側に傾斜している請求項１又は請求項２に記載の包装用台紙。
【請求項４】
上記本体が、上記物品に追従して屈曲するように、上記物品を挟み込む面側に屈曲誘導線により構成される屈曲誘導部を有する請求項１、請求項２又は請求項３に記載の包装用台紙。
【請求項５】
上記屈曲誘導部が、
上記本体の中心を同心とし、頂点が上記本体の対角線上にある方形状の複数の第１屈曲誘導線と、
上記複数の第１屈曲誘導線それぞれの至近の頂点を通り、上記本体の頂点側に向けて延びる直線状の４つの第２屈曲誘導線と
を有する請求項４に記載の包装用台紙。
【考案の詳細な説明】
【技術分野】
【０００１】
本考案は、包装用台紙に関する。
【背景技術】
【０００２】
オンラインショップ等で購入した商品等の物品を梱包するために、段ボールシートから組み立てられる包装容器が用いられている。中でもＣＤ、ＤＶＤ、文庫本といった比較的小型で薄い物品の包装容器として、台座パネルと、この台座パネルに折り返し線を介して連接される蓋パネルを備える梱包用シートを用いたものが公知である（特許第５７３６０８０号公報参照）。
【０００３】
この梱包用シートを用いた包装容器は、台座パネルに物品を載置し、蓋パネルを台座パネルの折り返し線に沿って折り返し、収縮性フィルムで被覆することで形成される。
【先行技術文献】
【特許文献】
【０００４】
【特許文献１】特許第５７３６０８０号公報
【考案の概要】
【考案が解決しようとする課題】
【０００５】
上記従来の梱包用シートでは、蓋パネルが複数のスリットから構成される複数列のスリット列を有しており、梱包時に蓋パネルを物品の形状に基づいて変形させることができる。この変形により、上記梱包用シートを用いた梱包容器は、優れた物品保持機能を有している。
【０００６】
一方で、梱包する物品が厚くなると、上記従来の梱包用シートでは、折り返し線に垂直な辺側、中でも角部に隙間が生じ易くなる。この隙間は、輸送時に物品の破損を引き起こすおそれや、内容物の秘匿性を低下させるおそれがある。
【０００７】
本考案は、このような事情に鑑みてなされたものであり、収縮性フィルムを用いて物品を梱包する際に、梱包する物品の厚さによらず角部に隙間が生じ難い包装用台紙の提供を課題とする。
【課題を解決するための手段】
【０００８】
本考案の一態様に係る包装用台紙は、収縮性フィルムを用いて物品を梱包する際に使用する包装用台紙であって、上記物品を挟み込めるように折り返し可能に接続される一対の台座パネルを備え、上記一対の台座パネルが、方形状の本体と、上記本体の一方の側縁から延出し、先端縁同士が互いに接続される接続フラップと、上記本体の上記一方の側縁と対向する側縁から延出する端部フラップと、上記本体の対向する他の一対の側縁から延出する一対の側部フラップと、上記一対の側部フラップの両端から延出する一対の舌片とを有し、上記舌片が、上記側部フラップの基端側から延出する直線部と、上記直線部の先端及び上記側部フラップの先端を連結する円弧部とを有する。
【考案の効果】
【０００９】
本考案の包装用台紙は、収縮性フィルムを用いて物品を梱包する際に、梱包する物品の厚さによらず角部に隙間が生じ難い。
【図面の簡単な説明】
【００１０】
【図１】図１は、本考案の一態様に係る包装用台紙を示す模式的平面図（展開図）である。
【図２】図２は、図１の包装用台紙の舌片付近を拡大した模式的拡大平面図である。
【図３】図３は、図１の包装用台紙に物品を挟み込む際の状態を示した模式的斜視図である。
【図４】図４は、物品を挟み込み収縮性フィルムで被覆した後の包装用台紙の状態を図３の矢印方向から見た模式的部分拡大斜視図である。
【考案を実施するための形態】
【００１１】
［本考案の実施形態の説明］
最初に本考案の実施態様を列記して説明する。
【００１２】
本考案の一態様に係る包装用台紙は、収縮性フィルムを用いて物品を梱包する際に使用する包装用台紙であって、上記物品を挟み込めるように折り返し可能に接続される一対の台座パネルを備え、上記一対の台座パネルが、方形状の本体と、上記本体の一方の側縁から延出し、先端縁同士が互いに接続される接続フラップと、上記本体の上記一方の側縁と対向する側縁から延出する端部フラップと、上記本体の対向する他の一対の側縁から延出する一対の側部フラップと、上記一対の側部フラップの両端から延出する一対の舌片とを有し、上記舌片が、上記側部フラップの基端側から延出する直線部と、上記直線部の先端及び上記側部フラップの先端を連結する円弧部とを有する。
【００１３】
当該包装用台紙では、収縮性フィルムを用いて物品を梱包する際に、一対の側部フラップが、その先端が折れ曲がって突き合わせるので、一対の台座パネル間の隙間を覆うことができる。その際、一対の側部フラップの両端から延出する一対の舌片がさらに折れ曲がる。このとき、上記舌片の直線部が、上記接続フラップ及び上記端部フラップの側縁との隙間を塞ぎ、対向する舌片の円弧部同士が突き合わされるように折れ曲がるので、一対の台座パネル間の角部に生じる隙間を覆うことができる。さらに、上記舌片の円弧部により側部フラップの折れ曲がり角度によらず上記一対の舌片は角部に生じる隙間を覆うことができるから、当該包装用台紙は、梱包する物品の厚さによらず収縮性フィルムを用いて物品を梱包する際に角部に隙間が生じ難い。
【００１４】
上記接続フラップ及び上記端部フラップの両端から他の舌片が延出していないとよい。このように上記接続フラップ及び上記端部フラップの両端から他の舌片を延出させないことで、収縮性フィルムを用いて物品を梱包する際に、舌片同士が干渉して角部に隙間が生じることを抑止できる。
【００１５】
上記接続フラップ及び上記端部フラップの側縁が、延出方向先端側に向けて内側に傾斜しているとよい。このように上記接続フラップ及び上記端部フラップの側縁を延出方向先端側に向けて内側に傾斜させることで、一対の側部フラップが折れ曲がった状態で舌片の直線部が上記一対の側縁に当接するようになるので、収縮性フィルムを用いて物品を梱包する際に、一対の側部フラップが折れ曲がり易い。
【００１６】
上記本体が、上記物品に追従して屈曲するように、上記物品を挟み込む面側に屈曲誘導線により構成される屈曲誘導部を有するとよい。このように上記本体に上記物品に追従して屈曲するよう屈曲誘導部を設けることで、収縮性フィルムを用いて物品を梱包する際に、一対の台座パネルを物品の形状に基づいて変形させることができるので、物品保持機能を高められる。
【００１７】
上記屈曲誘導部が、上記本体の中心を同心とし、頂点が上記本体の対角線上にある方形状の複数の第１屈曲誘導線と、上記複数の第１屈曲誘導線それぞれの至近の頂点を通り、上記本体の頂点側に向けて延びる直線状の４つの第２屈曲誘導線とを有するとよい。一般に物品は方形状のものが多いため、屈曲誘導部を上述のように構成することで、台座パネルの変形が物品の形状に沿い易い。
【００１８】
ここで、「収縮性フィルム」とは、熱を加えると収縮するフィルムの総称である。
【００１９】
［本考案の実施形態の詳細］
以下、本考案の一実施形態に係る包装用台紙について適宜図面を参照しつつ説明する。
【００２０】
図１に示す包装用台紙は、収縮性フィルムを用いて物品を梱包する際に使用する包装用台紙である。当該包装用台紙は、上記物品を挟み込めるように折り返し可能に接続される一対の台座パネル１を備える。
【００２１】
当該包装用台紙は、例えば１枚の段ボールシートから構成することができる。上記段ボールシートとしては、１枚の中芯の両側を一対のライナーで挟み込んだものだけでなく、３枚のライナーの間にそれぞれ中芯が挟み込まれたいわゆるダブルフルートであってもよく、あるいは中芯の片側にのみライナーが貼着されたいわゆる片面段ボールであってもよい。
【００２２】
上記段ボールシートの厚さの下限としては、強度の観点から、１ｍｍが好ましい。一方、上記段ボールシートの厚さの上限としては、特に限定されないが、包装体への組立の容易性から３ｍｍが好ましい。
【００２３】
一対の台座パネル１は、方形状の本体１０と、本体１０の一方の側縁１０ａから延出し、先端縁同士が互いに接続される接続フラップ１１と、本体１０の一方の側縁１０ａと対向する側縁１０ｂから延出する端部フラップ１２と、本体１０の対向する他の一対の側縁１０ｃから延出する一対の側部フラップ１３と、一対の側部フラップ１３の両端から延出する一対の舌片１４とを有する。
【００２４】
＜本体＞
一対の台座パネル１を折り返した際、この本体１０が、梱包される物品に当接し、挟み込む。
【００２５】
本体１０の大きさは、梱包される物品の大きさに応じて適宜選択されるが、例えば一方の側縁１０ａが２０ｃｍ以上５０ｃｍ以下、この一方の側縁１０ａと垂直に延びる他方の側縁１０ｃが１５ｃｍ以上４０ｃｍ以下とできる。
【００２６】
本体１０は、上記物品に追従して屈曲するように、上記物品を挟み込む面側に屈曲誘導線により構成される屈曲誘導部１５を有する。このように本体１０に上記物品に追従して屈曲するよう屈曲誘導部１５を設けることで、収縮性フィルムを用いて物品を梱包する際に、一対の台座パネル１を物品の形状に基づいて変形させることができるので、物品保持機能を高められる。上記屈曲誘導線は、例えば筋押しして形成される罫線により構成することができる。
【００２７】
本実施形態では、図１に示すように、屈曲誘導部１５は、本体１０の中心を同心とし、頂点が本体１０の対角線上にある方形状の２つの第１屈曲誘導線１５ａと、２つの第１屈曲誘導線１５ａそれぞれの至近の頂点を通り、本体１０の頂点側に向けて延びる直線状の４つの第２屈曲誘導線１５ｂとを有する。また、屈曲誘導部１５は、外側の第１屈曲誘導線１５ａの対向する一対の長辺間を結ぶ一対の第３屈曲誘導線１５ｃを有する。この第３屈曲誘導線１５ｃは、第１屈曲誘導線１５ａの長辺の一部と組み合わさって方形を形成している。一般に物品は方形状のものが多いため、屈曲誘導部１５を上述のように構成することで、台座パネル１の変形が物品の形状に沿い易い。
【００２８】
なお、ここに示した屈曲誘導部１５は、一例であって、梱包する物品の形状等に応じて例えば第３屈曲誘導線１５ｃを有さないものや、他の構成の屈曲誘導部１５を採用することもできる。また、図１に示す一対の本体１０は、共に屈曲誘導部１５を有しているが、一方の本体１０のみに設けてもよい。
【００２９】
＜接続フラップ及び端部フラップ＞
一対の台座パネル１にそれぞれ設けられている２枚の接続フラップ１１は、その先端縁同士が連結されている。一対の接続フラップ１１間の境界線には、折り返し線１ａが形成されている。
【００３０】
折り返し線１ａとしては、例えば罫線、ミシン目、ハーフカット線又はこれらの組み合わせ等が挙げられる。中でも折り返し線１ａとしては、図１に示すように、２本の平行な直線で構成され、折り返し線１ａの両端及び中央部に等間隔に配置される複数の罫線１ｂと、この複数の罫線１ｂ間に配置され、端部に上記２本の平行な直線の端部に向かってＹ字状の切れ込みを有する複数のミシン目１ｃとを備えるリード罫線とするとよい。このように罫線１ｂを２本の平行な直線で構成することで２段階で折れ曲がるので、折り返し線１ａで折り返した際の反発力を低減でき、物品を梱包し易くすることができる。また、ミシン目１ｃに罫線１ｂの上記２本の平行な直線の端部に向かってＹ字状の切れ込みを設けることで、折り曲げた時に突起が生じないようにし、当該包装用台紙を収縮性フィルムで被覆する際に収縮性フィルムが破れてしまうことを抑止できる。
【００３１】
折り返し線１ａを上記リード罫線とする場合、罫線１ｂの長さの下限としては、１０ｍｍが好ましく、１５ｍｍがより好ましい。一方、罫線１ｂの長さの上限としては、２５ｍｍが好ましく、２０ｍｍがより好ましい。罫線１ｂの長さが上記下限未満であると、罫線１ｂが破断するおそれがある。逆に、罫線１ｂの長さが上記上限を超えると、折り返した際の反発力が大きくなり、梱包し難くなるおそれがある。
【００３２】
また、折り返し線１ａを上記リード罫線とする場合、ミシン目１ｃの長さの下限としては、６５ｍｍが好ましく、７０ｍｍがより好ましい。一方、ミシン目１ｃの長さの上限としては、８０ｍｍが好ましく、７５ｍｍがより好ましい。ミシン目１ｃの長さが上記下限未満であると、相対的に罫線１ｂの割合が大きくなるため、折り返した際の反発力が大きくなり、梱包し難くなるおそれがある。逆に、ミシン目１ｃの長さが上記上限を超えると、折り返し線１ａの強度が不足し、破断し易くなるおそれがある。
【００３３】
接続フラップ１１の境界を画定する本体１０の一方の側縁１０ａは、折り曲げ容易線で構成されている。この折り曲げ容易線としては、例えば罫線、ミシン目、ハーフカット線又はこれらの組み合わせ等が挙げられる。上記折り曲げ容易線としては、折り返し線１ａと同様のリード罫線とするとよい。また、このリード罫線のうち、罫線の長さは、折り返し線１ａの罫線１ｂより長くとるとよく、その差としては、３ｃｍ以上８ｃｍ以下が好ましい。このように罫線の長さを長くとることで、折り返し線１ａと側縁１０ａとの間に反発力に差が生じ、折り返し線１ａの方が折れ曲がり易くなる。この折れ曲がり易さの差により当該包装用台紙を用いた物品梱包体を組立て易くすることができる。
【００３４】
接続フラップ１１の幅（本体１０からの延出方向の長さ）は、梱包される物品の厚さに応じて適宜決定されるが、例えば０．５ｃｍ以上３ｃｍ以下とすることができる。
【００３５】
端部フラップ１２は、先端縁同士が連結されていない点を除いて、本体１０の一方の側縁１０ａと対向する側縁１０ｂに、接続フラップ１１と同型に構成される。
【００３６】
図１に示すように、接続フラップ１１及び端部フラップ１２の両端から他の舌片が延出していないとよい。このように接続フラップ１１及び端部フラップ１２の両端から他の舌片を延出させないことで、収縮性フィルムを用いて物品を梱包する際に、舌片同士が干渉して角部に隙間が生じることを抑止できる。
【００３７】
また、図１に示すように、接続フラップ１１及び端部フラップ１２の側縁１１ａ、１２ａが、延出方向先端側に向けて内側に傾斜しているとよい。このように接続フラップ１１及び端部フラップ１２の側縁１１ａ、１２ａを延出方向先端側に向けて内側に傾斜させることで、一対の側部フラップ１３が折れ曲がった状態で後述する舌片１４の直線部１４ａが一対の側縁１１ａ、１２ａに当接するようになるので、収縮性フィルムを用いて物品を梱包する際に、一対の側部フラップ１３が折れ曲がり易い。
【００３８】
＜側部フラップ＞
一対の側部フラップ１３は、方形状である。
【００３９】
側部フラップ１３の境界を画定する本体１０の他方の側縁１０ｃは、折り曲げ容易線で構成されている。この側縁１０ｃを構成する折り曲げ容易線は、接続フラップ１１の境界を画定する本体１０の一方の側縁１０ａを構成する折り曲げ容易線と同種類とすることが好ましい。
【００４０】
側部フラップ１３の幅（本体１０からの延出方向の長さ）は、接続フラップ１１の幅と同幅とされる。
【００４１】
＜舌片＞
舌片１４は、図２に示すように、側部フラップ１３の基端側から延出する直線部１４ａと、直線部１４ａの先端及び側部フラップ１３の先端を連結する円弧部１４ｂとを有する。
【００４２】
直線部１４ａは、側部フラップ１３の境界を画定する本体１０の側縁１０ｃと連続している。また、直線部１４ａは、側部フラップ１３の幅と同等もしくは若干短い長さとされる。
【００４３】
円弧部１４ｂは、図２に示すように、円又は楕円の１／４で構成され、先端が角取りされているとよい。なお、円弧部１４ｂは、円又は楕円に限定されるものではなく、同方向に曲がる曲線で構成されていればよい。
【００４４】
舌片１４の境界を画定する基端縁１４ｃは、折り曲げ容易線で構成されている。この折り曲げ容易線は、上記屈曲誘導線と同様に、例えば筋押しして形成される罫線により構成することができる。
【００４５】
＜物品梱包体の組立方法＞
以下、図３及び図４を参照して、当該包装用台紙を用いた物品梱包体の組立方法を説明する。
【００４６】
まず、図３に示すように、物品Ｘを当該包装用台紙の一方の台座パネル１に載置する。この物品Ｘは、他方の台座パネル１を折り返した際、一対の台座パネル１により挟み込まれるように載置される。
【００４７】
物品Ｘの載置位置としては、台座パネル１の本体１０の内面で平面視中心位置が好ましい。また、物品Ｘが、屈曲誘導部１５を構成する第１屈曲誘導線１５ａのいずれか又は第１屈曲誘導線１５ａの長辺の一部と組み合わさって形成される方形内に配置されることがより好ましい。
【００４８】
次に、折り返し線１ａに沿って他方の台座パネル１を折り返し、図３に示すように、物品Ｘを一対の台座パネル１により挟み込む。
【００４９】
このとき、接続フラップ１１、端部フラップ１２、側部フラップ１３及び舌片１４は、その一部又は全部が折り曲げ容易線で折り曲げられていてもよいが、全てが折り曲げられていなくともよい。なお、折り曲げられている場合は、全て内面側に向かって折り曲げられていることが好ましい。
【００５０】
続いて、一対の台座パネル１の間に物品Ｘを挟み込んだ状態で、当該包装用台紙をシュリンク装着機（図示せず）に通し収縮性フィルムによって当該包装用台紙を被覆する。これにより物品Ｘが梱包された梱包体が形成される。
【００５１】
収縮フィルムによって被覆される際、その収縮力によって接続フラップ１１、端部フラップ１２、側部フラップ１３及び舌片１４は、内側へ折り曲げられる。図４に収縮フィルムによって被覆された後の当該包装用台紙の状態を示す。なお、図４において、収縮フィルムは図示していない。
【００５２】
具体的に説明すると、それぞれの台座パネル１の本体１０から延出している端部フラップ１２及び側部フラップ１３は、図４に示すように、対向するフラップの先端部が当接して、物品Ｘの厚みに応じて決まる三角柱状に突出する。先端縁同士が連結されている接続フラップ１１についても同様の形状となる。
【００５３】
舌片１４は、図４に示すように、側部フラップ１３の境界を画定する基端縁１４ｃで内側に折り曲げられ、対向する舌片１４と円弧部１４ｂ同士が突き合わされる。また、上記梱包体の角部で隣接する端部フラップ１２とは、舌片１４の直線部１４ａと端部フラップ１２の側縁１２ａとが突き合わされる。この構成により上記梱包体の角部は舌片１４で覆われる。
【００５４】
物品Ｘが厚くなると、対向する端部フラップ１２及び側部フラップ１３の先端同士が当接する部分で、対向するフラップ同士がなす角度は大きくなる。この場合、舌片１４は、図４に示す直線部１４ａの基端１４ｄを中心に時計回りに回転した状態となる。この状態では、直線部１４ａは接続フラップ１１及び端部フラップ１２の内面側に入り込み、あるいは外面に沿って重なり合う。また、円弧部１４ｂは円弧状であるので対向する円弧部１４ｂ同士は突き合された状態を維持する。つまり、物品Ｘの厚さが変わっても上記梱包体の角部は舌片１４で覆われる状態は維持される。なお、接続フラップ１１及び端部フラップ１２の側縁１１ａ、１２ａが、延出方向先端側に向けて内側に傾斜していると、舌片１４が接続フラップ１１及び端部フラップ１２と干渉し難く、スムーズに回転できる。
【００５５】
＜利点＞
当該包装用台紙では、収縮性フィルムを用いて物品Ｘを梱包する際に、一対の側部フラップ１３が、その先端が折れ曲がって突き合わせるので、一対の台座パネル１間の隙間を覆うことができる。その際、一対の側部フラップ１３の両端から延出する一対の舌片１４がさらに折れ曲がる。このとき、舌片１４の直線部１４ａが、接続フラップ１１及び端部フラップ１２の側縁との隙間を塞ぎ、対向する舌片１４の円弧部１４ｂ同士が突き合わされるように折れ曲がるので、一対の台座パネル１間の角部に生じる隙間を覆うことができる。さらに、舌片１４の円弧部１４ｂにより側部フラップ１３の折れ曲がり角度によらず一対の舌片１４は角部に生じる隙間を覆うことができるから、当該包装用台紙は、梱包する物品Ｘの厚さによらず収縮性フィルムを用いて物品Ｘを梱包する際に角部に隙間が生じ難い。
【００５６】
［その他の実施形態］
上記実施形態は、本考案の構成を限定するものではない。従って、上記実施形態は、本明細書の記載及び技術常識に基づいて上記実施形態各部の構成要素の省略、置換又は追加が可能であり、それらは全て本考案の範囲に属するものと解釈されるべきである。
【００５７】
上記実施形態では、屈曲誘導部を有する包装用台紙について説明したが、屈曲誘導部を有さない包装用台紙も本考案の意図するところである。
【００５８】
当該包装用台紙は、一方の台座パネルの折り返し線と対向する側の端縁近傍に係止部を有していてもよい。当該包装用台紙は、このような係止部を有することで、この係止部を他方の台座パネルのスリット等に係止することで一対の台座パネル対向端縁同士を的確に連結することができる。なお、かかる係止部は、例えば台座パネルに円弧状等の切込み線を形成することで設けられる。
【００５９】
当該包装用台紙は、必ずしも段ボールから形成される必要はなく、例えば堅紙、厚紙等の紙材料や、プラスチック等から形成されてもよい。
【産業上の利用可能性】
【００６０】
以上のように、本考案の包装用台紙は、収縮性フィルムを用いて物品を梱包する際に、梱包する物品の厚さによらず角部に隙間が生じ難い。
【符号の説明】
【００６１】
１  台座パネル
１ａ  折り返し線
１ｂ  罫線
１ｃ  ミシン目
１０  本体
１０ａ、１０ｂ、１０ｃ  側縁
１１  接続フラップ
１１ａ  側縁
１２  端部フラップ
１２ａ  側縁
１３  側部フラップ
１４  舌片
１４ａ  直線部
１４ｂ  円弧部
１４ｃ  基端縁
１４ｄ  基端
１５  屈曲誘導部
１５ａ  第１屈曲誘導線
１５ｂ  第２屈曲誘導線
１５ｃ  第３屈曲誘導線
Ｘ  物品
【図１】
0003228022.tif 000003
【図２】
0003228022.tif 000004
【図３】
0003228022.tif 000005
【図４】
0003228022.tif 000006